(57)【特許請求の範囲】
【請求項１】
車両用の軌間可変車台（１０）であって、
統合されたシャーシケーブル（２４、２６）を有するシャーシ（１２）と、
相対横移動できるようにシャーシ（１２）に連結された少なくとも１つのキャリッジ（１４）であって、統合されたキャリッジケーブル（２４ａ、２６ａ）を内部に有するキャリッジ（１４）と、
キャリッジ（１４）をシャーシ（１２）に対して横移動させるための駆動シリンダ（１６）と、
統合されたキャリッジケーブル（２４ａ、２６ａ）を統合されたシャーシケーブル（２４、２６）に接続するために、シャーシ（１２）とキャリッジ（１４）との接合部（３２）に配置されたケーブル接続要素（３６）と、
を含み、
接続要素（３６）は、キャリッジケーブル（２４ａ、２６ａ）およびシャーシケーブル（２４、２６）を接合部（３２）の縁部（３４）から離して保持するようにキャリッジケーブル（２４ａ、２６ａ）をシャーシケーブル（２４、２６）に接続するための少なくとも１つのソケット（４２）を含む車台。
【請求項２】
接続要素（３６）は、シャーシケーブル（２４、２６）を収容するためのシャーシ導管（２８）に取り付けられる、請求項１に記載の車台。
【請求項３】
接続要素（３６）の横断面が、シャーシ導管（２８）の長手軸に対して垂直である、請求項２に記載の車台。
【請求項４】
少なくとも１つのキャリッジ（１４）は、アクセスパネルをさらに含む、請求項１〜３のいずれか一項に記載の車台。
【請求項５】
アクセスパネルは、接続要素（３６）に外部から手が届くように、接続要素（３６）に近接して配置される、請求項４に記載の車台。
【請求項６】
接続要素（３６）はアクセスパネルに取り付けられる、請求項４に記載の車台。
【請求項７】
キャリッジケーブル（２４ａ、２６ａ）およびシャーシケーブル（２４、２６）は、それぞれキャリッジ導管（３０）およびシャーシ導管（２８）内で実質的に直線状である、請求項１〜６のいずれか一項に記載の車台。
【請求項８】
車台内でケーブルを接続する方法であって、
キャリッジ（１４）内の統合されたキャリッジケーブル（２４ａ、２６ａ）をシャーシ（１２）内の統合されたシャーシケーブル（２４、２６）に接続するために、ケーブル接続要素（３６）をシャーシ（１２）とキャリッジ（１４）との接合部（３２）に配置し、キャリッジ（１４）を、駆動シリンダ（１６）によって駆動されて相対横移動できるようにシャーシ（１２）に連結することと、
統合されたキャリッジケーブル（２４ａ、２６ａ）をケーブル接続要素（３６）の１つの側に接続することと、
統合されたシャーシケーブル（２４、２６）をケーブル接続要素（３６）の反対側に接続することと、
を含み、
接続要素（３６）は、キャリッジケーブル（２４ａ、２６ａ）およびシャーシケーブル（２４、２６）を接合部（３２）の縁部（３４）から離して保持するようにキャリッジケーブル（２４ａ、２６ａ）をシャーシケーブル（２４、２６）に接続するための少なくとも１つのソケット（４２）を含む方法。
【請求項９】
接続要素（３６）を、シャーシケーブル（２４、２６）を収容するためのシャーシ導管（２８）の一側面に配置するステップを含む、請求項８に記載の方法。
【発明の詳細な説明】
【技術分野】
【０００１】
本開示は、車両の軌間可変車台に関する。本開示は、特に、統合されたケーブルを有する軌間可変の装軌車台に関する。
【背景技術】
【０００２】
軌間可変の装軌車台が一般に公知であるかもしれない。そのような車台は、土木機械およびクレーンなどの作業機械を支持するように構成できる主フレームと、無限軌道を支持できる側部サブフレームとで構成することができる。サブフレームは主フレームの両側に置くことができる。無限軌道は、サブフレームに担持された並進モータで動かすことができる。
【０００３】
クレーン、掘削機、または土木機械などの様々な工業車両は、軌間可変車台を組み込むことができる。軌間可変車台は、工業車両を輸送するために幅を制限されることがある。一方、使用時では、車両は、土を掘り出す、もしくは移す、または機械の一般的な性能が地面上での安定性に依存する他の機能などの特定の機能を行う必要があり得るときに、工業車両の車台を拡張することができる。車台の幅は、地面上で安定性の高い大きさとするために、使用時に広げることができる。
【０００４】
一般に、サブフレームの横移動による車台の幅変更は、通常車両に設置された油圧シリンダによって構成される油圧アクチュエータを用いて行うことができる。主フレームおよびサブフレームは、クロス部材を介して互いに連結することができる。クロス部材は、サブフレームを主フレームのさらに近くに格納するために、またはサブフレームを主フレームからさらに遠くに広げるために、両方向にスライドすることができる。
【０００５】
工業車両の移動は、車台の主シャーシに連結された運転室から制御することができる。ケーブルは運転室から車台に接続することができる。車台はまた、並進モータおよび油圧シリンダを制御するために、シャーシおよびサブフレーム内にケーブルを含むことができる。そのようなケーブルは車台の外に置くことがある。車両の移動時、外に配置されたケーブルは、車台の一部または他の物体にからまることがある。車台が最大限に縮小した場合にケーブルが緩むことがあるので、そのようなからまりが起こりやすい。
【０００６】
当技術分野において公知の車台は、油圧シリンダおよび並進モータを制御するために、可撓管を含むことができる。車台は、車台の本体内に可撓管を保持するための閉じ込め手段をさらに含むことができる。しかし、サブフレームの横移動時に、可撓管が車台内に引っかかり、その結果、損傷を引き起こす応力がかかることがある。可撓管はまた、保守または修理作業のために手を近づけることが容易にできない。
【発明の概要】
【発明が解決しようとする課題】
【０００７】
本開示は、少なくとも部分的に、先行技術システムの１つまたは複数の態様を改良する、またはその態様の問題を解決することを目的とする。
【課題を解決するための手段】
【０００８】
第１の態様では、本開示は、統合されたシャーシケーブルを有するシャーシと、相対横移動できるようにシャーシに連結され、統合されたキャリッジケーブルを有する少なくと１つのキャリッジと、キャリッジをシャーシに対して横移動させる駆動シリンダと、統合されたキャリッジケーブルを統合されたシャーシケーブルに接続するために、接合部に配置されたケーブル接続要素とを含む車両用の軌間可変車台について記載する。
【０００９】
第２の態様では、本開示は、キャリッジ内の統合されたキャリッジケーブルをシャーシ内の統合されたシャーシケーブルに接続するために、ケーブル接続要素を接合部に配置し、キャリッジは、駆動シリンダによって駆動されて相対横移動するようにシャーシに連結されることと、統合されたキャリッジケーブルをケーブル接続要素の１つの側に接続することと、統合されたシャーシケーブルをケーブル接続要素の反対側に接続することとを含む、車台内でケーブルを接続する方法について記載する。
【００１０】
本開示の他の特徴および利点が、添付の図面と合わせて読んだ場合に、様々な実施形態の下記の説明から明らかになるであろう。
【００１１】
本開示の前述のおよび他の特徴および利点が、添付の図面と合わせて読んだ場合に、様々な実施形態の下記の説明により、さらに完全に理解されるであろう。
【図面の簡単な説明】
【００１２】
【図１】本開示による軌間可変車台の概略平面図である。
【図２】本開示による軌間可変車台の概略側面図である。
【図３】本開示によるケーブル接続要素の等角図である。
【図４】本開示に従ってキャリッジケーブルとシャーシケーブルとの間に連結された接続要素の概略図である。
【図５】本開示に従ってキャリッジケーブルおよびシャーシ導管に連結された接続要素の概略図である。
【図６】本開示に従って、キャリッジケーブルに連結され、シャーシ導管とキャリッジ導管の側部との間に連結された接続要素の概略図である。
【発明を実施するための形態】
【００１３】
本開示は、概略的には、統合されたケーブルを有し、統合されたケーブルを接続するためのケーブル接続要素を含む車両の軌間可変車台に関する。
【００１４】
図１は、車両、例えば、工業車両用の軌間可変車台１０を示している。軌間可変車台１０は、主シャーシ１２および２つの側部キャリッジ１４を含むことができる。各キャリッジ１４は、油圧シリンダ１６を駆動することでシャーシ１２に対して移動することができる。キャリッジ１４は、シャーシ１２に対して横方向に、拡張位置または格納位置に移動することができる。
【００１５】
シャーシ１２およびキャリッジ１４は、キャリッジ１４をシャーシ１２に対して横移動させるために、相互作用する部品、例えば、クロス部材を有することができる。その部品は、シャーシ１２および各キャリッジ１４の端部に設けることができ、その部品は、シャーシ１２とキャリッジ１４との間の必要な位置合わせを保証するプリズム形状のタイプとすることができる。
【００１６】
各油圧シリンダ１６は、キャリッジを１４を動かすことにより、軌間可変車台１０を拡張したり、縮小したりする動作をもたらすことができる。油圧シリンダ１６に適切な油圧を供給することにより、シリンダ１６は相互作用部品を駆動して、互いに対してスライドさせることができる。油圧シリンダ１６が伸長することで、相応して、キャリッジ１４をシャーシ１２から離れる方向に広げることができる。反対に、油圧シリンダ１６が後退することで、相応して、キャリッジ１４をシャーシ１２に向かって格納することができる。
【００１７】
支持体１８は、各キャリッジ１４内に設けることができる。各支持体１８は、各油圧シリンダ１６の端部に連結し、これを保持することができる。実施形態では、軌間可変車台１０は、２対の油圧シリンダ１６を含むことができる。油圧シリンダ１６の各対は、キャリッジ１４とシャーシ１２との間に連結することができる。各油圧シリンダ１６の１つの端部は、キャリッジ１４内の支持体１８に連結することができ、反対側の端部は、シャーシ１２内に連結することができる。別の実施形態では、軌間可変車台１０は、両方の側部キャリッジ１４の間に連結された１対の油圧シリンダ１６を含むことができる。各油圧シリンダ１６の１つの端部は一方のキャリッジ１４の支持体１８に連結することができ、反対側の端部は、他方のキャリッジ１４の支持体１８に連結することができる。
【００１８】
図１は、軌間可変車台１０の対極の状態を示しており、１つのキャリッジ１４が格納位置にあり、もう一方のキャリッジ１４が拡張位置にある。シャーシ１２に対してキャリッジ１４がそれぞれ横移動することでその位置に到達でき、油圧シリンダ１６によって駆動されて横移動することができる。
【００１９】
軌間可変車台１０は、各キャリッジ１４に並進モータ２０および無限軌道２２を含むことができる。並進モータ２０は、無限軌道２２に作用して、無限軌道２２を動かすことができる。並進モータ２０は油圧で駆動することができる。
【００２０】
図１および図２を参照すると、軌間可変車台１０は、統合されたケーブル、例えば、油圧ケーブルを含むことができる。統合されたケーブルは、シャーシ１２およびキャリッジ１４の内部構造体内に配置することができ、統合されたケーブルは、油圧シリンダ１６および並進モータ２０の油圧動作制御を可能にする。各油圧シリンダ１６を制御するために、シリンダケーブルセットを設けることができ、各並進モータ２０を制御するために、モータケーブルセットを設けることができる。
【００２１】
シリンダケーブルセットは、少なくとも１つのシリンダシャーシケーブル２４および少なくとも１つのシリンダキャリッジケーブル２４ａで構成することができる。シリンダシャーシケーブル２４は、シャーシ１２内で接続された端部を有することができ、キャリッジ１４まで延びることができる。シリンダキャリッジケーブル２４ａは、油圧シリンダ１６に接続された端部を有することができ、シャーシ１２まで延びることができる。シリンダケーブルセットは、さらなるシリンダシャーシケーブル２４およびシリンダキャリッジケーブル２４ａを含むことができる。
【００２２】
モータケーブルセットは、少なくとも１つのモータシャーシケーブル２６および少なくとも１つのモータキャリッジケーブル２６ａで構成することができる。モータシャーシケーブル２６は、シャーシ１２内で接続された端部を有することができ、キャリッジ１４まで延びることができる。モータキャリッジケーブル２６ａは、並進モータ２０に接続された端部を有し、シャーシ１２まで延びることができる。モータケーブルセットは、さらなるモータシャーシケーブル２６およびモータキャリッジケーブル２６ａを含むことができる。
【００２３】
図１を参照すると、軌間可変車台１０は、統合されたケーブルを収容する導管を含むことができる。導管は、統合されたケーブルをそれぞれの接続口に案内することができる。別の実施形態では、導管は、適切な材料からなる管、または軌間可変車台１０にある、機械加工された支柱とすることができる。
【００２４】
シリンダシャーシケーブル２４およびモータシャーシケーブル２６用にシャーシ導管２８を設けることができる。シャーシ導管２８の長手軸は、シャーシ１２の中心軸１３に対して実質的に垂直とすることができる。別の実施形態では、シリンダシャーシケーブル２４およびモータシャーシケーブル２６用に、別々のシャーシ導管２８を設けることができる。
【００２５】
シリンダキャリッジケーブル２４ａおよびモータキャリッジケーブル２６ａを収容するために、キャリッジ１４内にキャリッジ導管３０を設けることができる。キャリッジ導管３０は、キャリッジ１４に沿って延びることができる。キャリッジ導管３０の長手軸は、シャーシ１２の中心軸１３に対して実質的に平行とすることができる。別の実施形態では、シリンダキャリッジケーブル２４ａおよびモータキャリッジケーブル２６ａ用に、別々のキャリッジ導管３０を設けることができる。
【００２６】
シャーシ導管２８およびキャリッジ導管３０は、接合部３２で交差することができる。接合部３２は、縁部３４で結合することができる。シャーシ導管２８の長手軸は、キャリッジ導管３０の長手軸に対して実質的に垂直とすることができる。
【００２７】
別の実施形態では、シャーシ導管２８およびキャリッジ導管３０は、連続する導管として形成することができる。さらなる実施形態では、シリンダシャーシケーブル２４およびシリンダキャリッジケーブル２４ａ用に、連続する導管を設けることができ、モータシャーシケーブル２６およびモータキャリッジケーブル２６ａ用に、他の独立した、連続する導管を設けることができる。これらの実施形態では、接合部３２は、連続する導管の曲げ部で形成することができる。
【００２８】
図３を参照すると、軌間可変車台１０は、ケーブル接続要素３６を含むことができる。接続要素３６は、ソケット接続用の接続穴３８を有するパネルとすることができる。接続要素３６はまた、軌間可変車台１０の支持体に接続要素３６を取り付けるための取付穴４０を有することもできる。
【００２９】
接続要素３６は、接続穴３８および取付穴４０の縦軸に垂直に交差することができる横断面を有することができる。ケーブル接続要素３６は、樹脂材料または金属材料などの適切な材料で形成することができる。
【００３０】
流体接続部は、シャーシ１２およびキャリッジ１４内のシリンダケーブル間に設けることができる。別の流体接続部は、シャーシ１２およびキャリッジ１４内のモータケーブル間に設けることができる。２つの接続部は、ケーブル接続要素３６を通じて形成することができる。油圧シリンダ１６および並進モータ２０は、流体接続部を経由して、使用可能なように制御することができる。
【００３１】
図４を参照すると、ケーブル接続要素３６はソケット４２をさらに含むことができる。ソケット４２は、接続穴３８内に支持されている。接続要素３６は、ソケット４２を介して、シリンダシャーシケーブル２４をシリンダキャリッジケーブル２４ａに接続することができ、モータシャーシケーブル２６をモータキャリッジケーブル２６ａに接続することができる。接続要素３６の一方の側で、ソケット４２はシリンダケーブル、例えば、シリンダシャーシケーブル２４に接続している。接続要素３６の他方の側で、ソケット４２は、キャリッジケーブル、例えば、シリンダキャリッジケーブル２４ａに接続することができる。
【００３２】
一方の端部で、シリンダシャーシケーブル２４は、シャーシ１２内の接続口に接続することができ、他方の端部で、シリンダシャーシケーブル２４は、接続要素３６内のソケット４２に接続することができる。シリンダキャリッジケーブル２４ａは、ソケット４２の反対側の端部と油圧シリンダ１６の接続口との間に接続することができる。
【００３３】
シリンダシャーシケーブル２４およびシリンダキャリッジケーブル２４ａはともに、接続要素がケーブルを接続した状態で、それぞれのケーブル導管に沿って実質的に直線状を維持している。
【００３４】
一方の端部で、モータシャーシケーブル２６は、シャーシ１２内の接続口に接続することができ、他方の端部で、モータシャーシケーブル２６は、接続要素３６内のソケット４２に接続することができる。モータキャリッジケーブル２６ａは、一方の端部でソケット４２の反対側の端部間に接続することができ、他方の端部で並進モータ２０の接続口に接続することができる。
【００３５】
モータシャーシケーブル２６およびモータキャリッジケーブル２６ａはともに、接続要素がケーブルを接続した状態で、それぞれの導管に沿って実質的に直線状を維持している。
【００３６】
実施形態では、ケーブル接続器は、シリンダケーブルおよびキャリッジケーブルをソケット４２に接続することができる。直線状のケーブル接続器４４は、シャーシケーブルをソケット４２に接続することができ、曲がったケーブル接続器４６は、キャリッジケーブルをソケット４２に接続することができる。
【００３７】
接続要素３６は、接合部３２に対して０°〜９０°の角度で配置することができる。
【００３８】
図５を参照すると、ケーブル接続要素３６は、シャーシ導管２８の長手軸が、接続要素３６の横断面と垂直に交差するように、例えば、取付穴４０を通じてシャーシ導管２８に取り付けることができる。接続要素３６は、接合部３２に対する角度を０°とすることができる。実施形態では、ケーブル接続要素３６は、取り外し可能に取り付けることができる。
【００３９】
図６を参照すると、ケーブル接続要素３６は、接合部３２で、シャーシ導管２８とキャリッジ導管３０との間に取り付けることができる。実施形態では、ケーブル接続要素３６は、シャーシ導管２８とキャリッジ導管３０との間に取り外し可能に取り付けることができる。
【００４０】
別の実施形態では、接続要素３６は、接合部３２で、側部がシャーシ導管２８に隣接することができ、キャリッジ導管３０の長手軸が、接続要素３６の横断面と垂直に交差できるようにキャリッジ導管３０内に取り付けることができる。接続要素３６の横断面は、シャーシ導管２８の長手軸と合致することができる。接続要素３６は、接合部３２に対する角度を９０°とすることができる。
【００４１】
前述の実施形態では、直線状のケーブル接続器４４は、キャリッジケーブルをソケット４２に接続することができ、曲がったケーブルコネクタ４６は、シャーシケーブルをソケット４２に接続することができる。接合部３２の両側に配置された各油圧シリンダ１６用のシャーシシリンダケーブル２４は、接続要素３６の両側に接続することができる。接続要素３６は、取り外し可能に取り付けることができる。接続要素３６は、キャリッジ導管３０内の支持体に取り付けることができる。
【００４２】
さらに別の実施形態では、接続要素３６は、接合部３２で、側部がシャーシ導管２８に隣接することができ、接続要素の横断面が、キャリッジ導管およびシャーシ導管の両方の長手軸に対して傾斜できるように、キャリッジ導管３０内に取り付けることができる。接続要素３６は、接合部３２に対する角度を４５°とすることができる。接続要素３６は、取り外し可能に取り付けることができる。接続要素３６は、キャリッジ導管３０内の支持体に取り付けることができる。
【００４３】
実施形態では、ソケット４２は、シリンダケーブルか、またはシャーシケーブルのいずれかと、あるいは両方のケーブルセットと接続するために、拡張および湾曲することができる。シリンダケーブルおよびシャーシケーブルは、直線状のケーブル接続器４４を用いてソケット４２に接続することができる。
【００４４】
接続要素３６は、シャーシ導管か、またはキャリッジ導管のいずれかに取り付けられたフレームに固定することができる。フレームには、接続要素３６を取り外し可能に連結することができる。
【００４５】
シャーシ１２は、シャーシ１２内の余分なシリンダシャーシケーブル２４およびモータシャーシケーブル２６を保持するためのケーブル室を含むことができる。ケーブル室は、シリンダシャーシケーブル２４およびモータシャーシケーブル２６のたるみを受け入れる開口を有することができる。
【００４６】
軌間可変車台１０は、アクセスパネルをさらに含むことができる。アクセスパネルは、キャリッジ１４に設けることができる。アクセスパネルは、キャリッジ１４の側部に取り外し可能に保持することができる。別の実施形態では、アクセスパネルは、キャリッジ１４の側部に、回動可能に縁部で連結することができる。
【００４７】
アクセスパネルは、開口を封止し、開口からキャリッジの内部に手を入れることができない閉じた状態にすることができる。アクセスパネルが開いた状態において、開口は覆いがない形にすることができ、キャリッジの内部に手を入れることができる。
【００４８】
アクセスパネルは、支持体１８、シリンダケーブル、またはモータケーブルに近接して、キャリッジ１４の両側に配置することができる。
【００４９】
アクセスパネルは、接続要素３６に近接して、接合部３２に配置することができる。アクセスパネルが開いた状態にある場合、接続要素３６は、キャリッジ１４の外部から手を近づけることができる。実施形態では、接続要素３６を取り外して、軌間可変車台１０の外に取り出すことができる。
【００５０】
別の実施形態では、ケーブル接続要素３６は、アクセスパネルに取り付けることができる。
【００５１】
使用時、キャリッジ１４が格納位置にある場合、油圧シリンダ１６を駆動して、キャリッジ１４の一方を所望の位置まで広げることができる。作動すると、接続要素３６を経由するシリンダシャーシケーブル２４および対応するシリンダキャリッジケーブル２４ａ内の圧力を上げることができる。油圧シリンダ１６は、対応するキャリッジ１４を所望の位置に移動させることができる。油圧シリンダ１６がキャリッジ１４を広げるときに、接続部材３６はキャリッジ１４とともにシャーシ１２から遠ざかることができる。
【００５２】
シリンダシャーシケーブル２４およびモータシャーシケーブル２６は、接続要素３６のシャーシ１２からの距離が増大したのに合わせて延長することができる。延長するシリンダシャーシケーブル２４およびモータシャーシケーブル２６は、ケーブル室に格納された余分なケーブルから供給することができる。シリンダキャリッジケーブル２４ａおよびモータキャリッジケーブル２６ａは、キャリッジ１４がシャーシ１２から遠ざかることで長くなることはない。
【００５３】
油圧シリンダ１６は、対応するキャリッジ１４を拡張位置から格納位置に移動させることができる。油圧が高くなると、油圧シリンダ１６は後退する。油圧シリンダがキャリッジ１４を格納するときに、接続要素３６はキャリッジ１４とともにシャーシ１２に向かって移動する。
【００５４】
接続要素３６のシャーシ１２からの距離が短くなるときに、シリンダシャーシケーブル２４およびモータシャーシケーブル２６は、長さを短くすることができる。余分なシリンダシャーシケーブル２４およびモータシャーシケーブル２６をケーブル室内に案内することができる。シリンダキャリッジケーブル２４ａおよびモータキャリッジケーブル２６ａは、キャリッジ１４がシャーシ１２に向かって移動することで短くなることはない。
【００５５】
ケーブル接続要素３６は、キャリッジ１４がシャーシ１２から遠ざかるか、またはこれに近づくときに、シリンダケーブルおよびモータケーブルを接合部３２の縁部３４から離して保持することができる。
【００５６】
当業者ならば、本開示の軌間可変車台１０を得るために、前述の実施形態を修正することができると分かるであろう。
【産業上の利用可能性】
【００５７】
本開示は、統合されたケーブルを接続するためのケーブル接続要素３６を含む軌間可変車台１０について記載する。
【００５８】
軌間可変車台１０の使用時、無限軌道２２は、油圧シリンダ１６により、作業または外部要求に従って広げるか、または格納することができる。無限軌道２２は、車両の輸送時に格納し、作業現場で広げることができる。無限軌道２２は、必要に応じて、最大位置または中間位置まで広げることができる。
【００５９】
キャリッジ１４の相対横移動時、統合されたケーブルは、接続要素３６により、縁部３４から離して保持することができる。統合されたケーブルは、キャリッジ１４の横移動時に縁部３４に引っかかることがなく、損傷を引き起こす応力がかかることもない。統合されたケーブルは、実質的に直線状であるので、ケーブルを通る油圧流体の流れが抑制されることがない。
【００６０】
統合されたケーブルは、キャリッジ側ケーブルとシャーシ側ケーブルとの間で分割することができる。キャリッジ１４の相対横移動時、キャリッジ側ケーブルと、油圧シリンダ１６および並進モータ２０へのそれぞれの接続部とは、ケーブルの長さが変化しないので、何ら応力を受けることがない。
【００６１】
キャリッジ１４上のアクセスパネルは、開いた状態にあると、ケーブルおよびシリンダを保守するために、開口を通して、統合されたケーブルおよび油圧シリンダ１６に手が届くようにすることができる。油圧シリンダ１６は、シャーシ１２からキャリッジ１４を取り外すことなく、開口を通して分解することができる。
【００６２】
ケーブル接続要素３６は、この要素およびこれに連結した、統合されたケーブルを保守するための開口から取り出すことができる。
【００６３】
本明細書に記載した軌間可変車台１０の産業上の利用性が、前述の説明から容易に理解されたであろう。
【００６４】
適宜、本開示は、準拠法が許可する通り、添付の特許請求の範囲に記載の対象に対するすべての修正形態および等価物を包含する。さらに、本開示は、本明細書に別途指摘がない限り、本開示のあり得るすべての変形形態における上記要素の任意の組み合わせを包含する。
【００６５】
任意の請求項に記載した技術的特徴部は参照符号を伴い、その参照符号は、特許請求の範囲をより理解しやすくするという唯一の目的のために含めたが、参照符号があろうとなかろうとどちらも、上記の技術的特徴部、または任意の請求項の要素の範囲に及ぼすいかなる限定効果も持つものではない。
【００６６】
当業者ならば、本開示が、本開示または本開示の必須の特徴から逸脱することなく、他の特定の形態で具現化できると分かるであろう。したがって、前述の実施形態は、本明細書に記載した本開示を限定するのではなく、全くの例示であると考えることができる。したがって、本発明の範囲は、前述の説明ではなく、添付の特許請求の範囲によって示され、故に、請求項と等価な趣旨および範囲内に入るすべての変更は、本発明に包含されるものとする。
【図１】
0005243618.tif 000002
【図２】
0005243618.tif 000003
【図３】
0005243618.tif 000004
【図４】
0005243618.tif 000005
【図５】
0005243618.tif 000006
【図６】
0005243618.tif 000007